(57)【要約】【課題】スピーカ装置付き表示装置（１０）において、視聴者位置における周波数特性を改善する。【解決手段】表示装置（１０）は、表示部（１２）と、少なくとも２つのスピーカ（１１Ｌおよび１１Ｒ）とを備えており、少なくとも２つのスピーカは、短軸方向と長軸方向とを有する非真円形の振動板を有している。少なくとも２つのスピーカのそれぞれから振動板の短軸方向（ｌ２）に延伸させた仮想直線の交点（ｃ）を前記表示部に垂直に投影して得られる投影点（ｄ）が、前記表示部（１２）における表示領域内に収まるように配置されている。【選択図】図１
2020061636.tif 000002
【特許請求の範囲】
【請求項１】
表示部と、少なくとも２つのスピーカとを備えた表示装置であって、
前記少なくとも２つのスピーカは、
短軸方向と長軸方向とを有する非真円形の振動板を有しており、
前記少なくとも２つのスピーカのそれぞれから振動板の短軸方向に延伸させた仮想直線の交点を前記表示部に垂直に投影して得られる投影点が、前記表示部における表示領域内に収まるように配置されていることを特徴とする表示装置。
【請求項２】
上記少なくとも２つのスピーカは、それぞれ、表示装置の左右の底部に配置されていることを特徴とする請求項１に記載の表示装置。
【請求項３】
上記少なくとも２つのスピーカは、互いに左右対称な位置に配置されていることを特徴とする請求項１に記載の表示装置。
【請求項４】
上記少なくとも２つのスピーカは、高音域用スピーカであることを特徴とする請求項１に記載の表示装置。
【請求項５】
第１のスピーカと第２のスピーカとを備えたスピーカ装置であって、
前記第１のスピーカ、及び、前記第２のスピーカは、前記第１のスピーカの振動板の長軸方向と、前記第２のスピーカの長軸方向とが平行ではないように配置されていることを特徴とするスピーカ装置。
【請求項６】
前記第１のスピーカは、中低音域用のスピーカであり、
前記第２のスピーカは、高音域用のスピーカであることを特徴とする請求項５に記載のスピーカ装置。
【請求項７】
前記第１のスピーカと前記第２のスピーカの組を複数備えていることを特徴とする請求項５に記載のスピーカ装置。
【請求項８】
請求項１から４のいずれか一項に記載の表示装置を備えていることを特徴とするテレビジョン受像機。
【発明の詳細な説明】
【技術分野】
【０００１】
本発明は、表示装置、スピーカ装置、及びテレビジョン受像機に関する。
【背景技術】
【０００２】
近年、テレビ受像機の画面が大型化する傾向にあり、省スペース化のために画面を薄型にする必要がある。したがって、テレビ受像機に内蔵するスピーカも小型化が求められている。小型スピーカでは、振動板の形状を円形とすると振動板の面積が小さいため、十分な音圧が得られない。このため、スピーカの振動板の形状を楕円形、オーバル型、長方形型などの細長型とすると、小型スピーカでも相対的に振動板の面積を大きくすることができ、十分な音圧が得られる。このため、視聴者が、高音質でテレビの視聴を楽しむことができる。
【先行技術文献】
【特許文献】
【０００３】
【特許文献１】特開２００７−２８８７６７号公報（２００７年１１月１日公開）
【発明の概要】
【発明が解決しようとする課題】
【０００４】
しかし、細長型スピーカでは、短軸方向の周波数特性はよいが、長軸方向の周波数特性が悪く、とくに高音域の特性が下がる傾向にある。通常、テレビ受像機に内蔵される細長型スピーカは、このように、短軸方向と長軸方向とで周波数特性が異なるため、視聴者に対して周波数特性のよい音声を提供することが難しかった。
【０００５】
上記の課題を鑑み、本発明の一態様では、スピーカ付き表示装置、テレビ受像機、表示用装置サウンドバーなどにおいて、通常の視聴者の位置において、周波数特性が改善できる技術を提供することを目的とする。
【課題を解決するための手段】
【０００６】
上記の課題を解決するために、本発明の一態様に係る表示装置は、表示部と、少なくとも２つのスピーカとを備え、前記少なくとも２つのスピーカは、短軸方向と長軸方向とを有する非真円形の振動板を有しており、前記少なくとも２つのスピーカのそれぞれから振動板の短軸方向に延伸させた仮想直線の交点を前記表示部に垂直に投影して得られる投影点が、前記表示部における表示領域内に収まるように配置されている。
【０００７】
上記の構成によれば、スピーカの振動板の短軸方向に延伸させた仮想直線の交点を前記表示部に垂直に投影して得られる投影点が、前記表示部における表示領域内に収まるように配置される。これにより、周波数特性のよい位置を視聴者の視聴する位置に対応させることができるので、視聴者は周波数特性のよい音声を聴くことができる。
【０００８】
上記一態様に係る表示装置において、上記少なくとも２つのスピーカは、それぞれ、当該表示装置の左右の底部に配置されてもよい。
【０００９】
上記の構成によれば、スピーカの振動板の短軸方向に延伸させた仮想直線の交点を前記表示部に垂直に投影して得られる投影点が、前記表示部における表示領域内に収まるように配置されることによって、周波数特性のよい位置と視聴者の視聴する位置対応させることができるので、視聴者に周波数特性のよい音声を提供すると共に、表示装置の左右の額縁を狭額縁化することができる。
【００１０】
上記一態様に係る表示装置において、上記少なくとも２つのスピーカは、互いに左右対称な位置に配置されてもよい。
【００１１】
上記の構成によれば、周波数特性が良く、さらに、左右のバランスの良い音声を提供することができる。
【００１２】
上記一態様に係る表示装置において、上記少なくとも２つのスピーカは、高音域用スピーカであってもよい。
【００１３】
上記の構成によれば、中低音スピーカに比べて指向性が鋭くなる高音域用スピーカにおいて、周波数特性のよい音声を提供することができる。
【００１４】
上記一態様に係るスピーカ装置において、第１のスピーカと第２のスピーカとを備えており、前記第１のスピーカ、及び、前記第２のスピーカは、短軸方向と長軸方向とを有する非真円形の振動板を有しており、前記第１のスピーカ、及び、前記第２のスピーカは、前記第１のスピーカの振動板の長軸方向と、前記第２のスピーカの長軸方向とが平行ではないように配置されてもよい。
【００１５】
上記の構成によれば、前記第１のスピーカ、及び、前記第２のスピーカは、前記第１のスピーカの振動板の長軸方向と、前記第２のスピーカの長軸方向とが平行ではないように配置されているため、視聴者に対して周波数特性のよい音声を提供することができる。
【００１６】
上記一態様に係るスピーカ装置において、前記第１のスピーカは、中低音域用のスピーカであり、前記第２のスピーカは、高音域用のスピーカであってもよい。
【００１７】
上記の構成によれば、前記第１のスピーカ、及び、前記第２のスピーカは、前記第１のスピーカの振動板の長軸方向と、前記第２のスピーカの長軸方向とが平行ではないように配置されているので、視聴者に対して周波数特性のよい音声を提供することができる。
【００１８】
上記一態様に係るスピーカ装置において、前記第１のスピーカと前記第２のスピーカの組を複数備えていてもよい。
【００１９】
上記の構成によれば、第１のスピーカと前記第２のスピーカの組を複数備えているため、視聴者に対して更に周波数特性のよい音声を提供することができる。
【００２０】
上記一態様に係るテレビジョン受像機において、上記記載の表示装置をそなえていてもよい。
【００２１】
上記の構成によれば、視聴者は周波数特性のよい位置でテレビジョン受像機を視聴することができる。
【発明の効果】
【００２２】
本発明の一態様によれば、上記の構成によれば、通常の視聴者の位置において、周波数特性を改善することができる。したがって、視聴者に対し、周波数特性のよい音声を提供することができる。
【図面の簡単な説明】
【００２３】
【図１】本発明の実施形態１に係る表示装置１０を模式的に例示する正面図である。
【図２】本発明の実施形態１に係る表示装置１０における周波数特性のよい領域Ａ1およびＡ２を模式的に例示する斜視図である。
【図３】本発明の実施形態１に係る表示装置１０における周波数特性のよい領域Ａ1およびＡ２を模式的に例示する上面図である。
【図４】本発明の実施形態１に係る表示装置１０における周波数特性のよい領域Ａ1およびＡ２を模式的に例示する正面図である。
【図５】本発明の実施形態１の変形例係る表示装置１０を模式的に例示する正面図である。
【図６】本発明の実施形態１の別の変形例に係る表示装置１０を模式的に例示する正面図である。
【図７】比較例における図１に対応する図である。
【図８】比較例における図２に対応する図である。
【図９】比較例における図３に対応する図である。
【図１０】本発明の実施形態２に係る表示装置２０を模式的に例示する正面図である。
【図１１】本発明の実施形態２に係る表示装置２０を模式的に例示する正面図である。
【図１２】本発明の実施形態２に係る表示装置２０を模式的に例示する正面図である。
【図１３】本発明の実施形態３に係る表示装置３０の斜視図である。
【図１４】本発明の実施形態３に係る表示装置３０の背面の正面図である。
【図１５】本発明の実施形態３に係る表示装置３０のスピーカ装置３１Ｒ部分を示す部分断面図である。
【図１６】（ａ）は本発明の実施形態３に係る表示装置３０のスピーカ装置３１Ｒの斜め上方から見た斜視図であり、（ｂ）は本発明の比較例に係る表示装置５０のスピーカ装置の振動板を示す図である。
【図１７】（ａ）は本発明の実施形態３に係る表示装置３０における周波数特性のよい領域を模式的に例示する正面図であり、（ｂ）は本発明の比較例に係る表示装置５０における周波数特性のよい領域Ｃ１およびＣ２を模式的に例示する正面図である。
【図１８】（ａ）は本発明の実施形態３に係る表示装置３０における周波数特性のよい領域を模式的に例示する側面図であり、（ｂ）は本発明の比較例に係る表示装置５０における周波数特性のよい領域Ｃ１およびＣ２を模式的に例示する側面図である。
【図１９】本発明の実施形態３に係る表示装置３０における周波数特性のよい領域Ｃ１およびＣ２を模式的に例示する斜視図である。
【図２０】本発明の実施形態３に係る表示装置３０における周波数特性のよい領域Ｃ１およびＣ２を模式的に例示する上面図である。
【図２１】本発明の実施形態３に係る表示装置３０における周波数特性のよい領域Ｃ１およびＣ２を模式的に例示する正面図である。
【図２２】本発明の実施形態４に係るサウンドバー４１Ｌ、４１Ｒ、およびこれとともに用いられる表示装置４０を模式的に例示する正面図である。
【発明を実施するための形態】
【００２４】
以下、本発明の一側面に係る実施の形態（以下、「本実施形態」とも表記する）を、図面に基づいて説明する。なお、図面中では、正置状態における表示装置の左右方向をｘ軸方向、前後方向をｙ軸方向、鉛直方向をｚ軸方向とする。
【００２５】
（比較例における周波数特性のよい領域）
まず、比較例として、図７、８、および９を参照して左右スピーカを傾けない従来の表示装置５０について説明する。図７は、表示装置５０の正面図である。図７に示すように、表示装置５０では、表示装置５０のフロントパネル５２の底部５３に二つの対称な形状、構造のスピーカ５１Ｌおよび５１Ｒが備えられている。二つのスピーカ５１Ｌおよび５１Ｒは、実施形態１のスピーカ１１Ｌおよび１１Ｒと同様に、短軸方向ｌ２と長軸方向ｌ１を有している。そして、各スピーカ５１Ｌおよび５１Ｒは、長軸方向ｌ１が水平方向を向いて配置される。
【００２６】
スピーカ５１Ｌおよび５１Ｒでは、短軸方向における周波数特性はよいが、長軸方向における周波数特性が悪い。したがって、周波数特性のよい領域Ｂ１およびＢ２は、図８に示すように、二つのスピーカ５１Ｌおよび５１Ｒの上下方向に円盤状に分布する。また、この比較例の表示装置５０を上から見ると、図９に示すように、周波数特性のよい領域Ｂ１およびＢ２は、各スピーカ５１Ｌおよび５１Ｒから、前方に向かって伸びている。
【００２７】
したがって、表示装置５０のフロントパネル５２の手前の中央付近に位置する視聴者Ｐは、周波数特性のよい領域Ｂ１およびＢ２の間において位置することになるので、周波数特性の良い音声を聴くことができない。
【００２８】
＜実施形態１＞
次に、図１を参照しながら、実施形態１の表示装置１０について説明する。
【００２９】
（表示装置１０）
図１は、実施形態１における表示装置１０の正面図である。表示装置は、表示部と、少なくとも２つのスピーカを備える。具体的には、図１に示すように、表示装置１０（例えば、テレビ受像機）は、表示部であるフロントパネル１２、およびフロントパネル１２の底部左右に位置する２つのスピーカ１１Ｌおよび１１Ｒを備える。
（スピーカ１１Ｌおよび１１Ｒ）
前記少なくとも２つのスピーカは、短軸方向と長軸方向とを有する非真円形の振動板を有している。また、上記少なくとも２つのスピーカは、正置状態における表示装置１０の中心を通る仮想的な鉛直線を対象軸として、互いに左右対称な位置に配置されている。具体的には、前記２つのスピーカ１１Ｌおよび１１Ｒは、左右対称な形状および構造を有し、表示部１２の左右方向の中心線に対して対称な位置に配置される。それぞれのスピーカ１１Ｌおよび１１Ｒは、図１に示すように、短軸方向の長さｌ２が長軸方向の長さｌ１より短い楕円形の振動板を有する。さらに、上記少なくとも２つのスピーカは、たとえば、高音域用スピーカである。なお、本実施形態を限定するものではないが、「高音域」とは、例えば、１５００Ｈｚ以上の周波数のことを指し、「中低音域」とは、例えば、１５００Ｈｚ未満の周波数のことを指す。
（スピーカ１１Ｌおよび１１Ｒの配置）
上記少なくとも２つのスピーカは、それぞれ、当該表示装置の左右の底部に配置されている。具体的には、図１に示すように、左右のスピーカ１１Ｌおよび１１Ｒは、フロントパネル１２の底部１３の左右端部に配置されている。左右のスピーカ１１Ｌおよび１１Ｒは、左右対称な位置に配置されている。また、前記少なくとも２つのスピーカのそれぞれから振動板の短軸方向に延伸させた仮想直線の交点を前記表示部に垂直に投影して得られる投影点が、前記表示部における表示領域内に収まるように配置されている。具体的には、図１に示すように、左右のスピーカ１１Ｌおよび１１Ｒは、それぞれから振動板の短軸方向ｌ２に延伸させた仮想直線の交点ｃを前記表示部に垂直に投影して得られる投影点が、前記表示部における表示領域の中央付近に収まるように配置されている。そして、各スピーカ１１Ｌおよび１１Ｒの振動板の短軸方向ｌ２の仮想延長線が交差する点をｃとすると、ｃをフロントパネル１２に対して垂直に投影させて得られる点が、フロントパネル１２の中央付近に位置するように、各スピーカ１１Ｌおよび１１Ｒが傾けられている。
【００３０】
実施形態１において、短軸方向ｌ２と、水平方向とがなす角αを例えば、４５度から６５度とすればよい。
【００３１】
（周波数特性のよい領域Ａ１およびＡ２：斜視図）
上述の比較例の表示装置５０と比較して、実施形態１の各スピーカ１１Ｌおよび１１Ｒから発せられる音声について周波数特性のよい領域Ａ１およびＡ２がどのように拡がっているかを図１から図４を参照しながら説明する。図２は、表示装置１０における周波数特性のよい領域Ａ１およびＡ２を模式的に例示する斜視図である。図２に示すように、周波数特性のよい領域Ａ１およびＡ２はスピーカ１１Ｌおよび１１Ｒの上下方向に、スピーカ振動板の短軸方向ｌ２に沿って、円盤状に拡がっている。スピーカ１１Ｌおよび１１Ｒの短軸方向の延伸させた仮想直線の交差点をフロントパネル１２に垂直に投影した点がフロントパネル１２の中央付近に位置するように傾けられているので、領域Ａ１およびＡ２を形成する円盤もフロントパネル１２の中央寄りに傾き、領域Ａ１およびＡ２はフロントパネル１２の中央付近で交差する。
【００３２】
（周波数特性のよい領域Ａ１およびＡ２：上面図）
図３は、周波数特性のよい領域Ａ１およびＡ２の拡がりを模式的に例示する上面図である。スピーカ１１Ｌおよび１１Ｒはフロントパネル１２の中央付近に向けて傾けられているため、上から見ると、周波数特性のよい領域Ａ１およびＡ２もスピーカ１１Ｌおよび１１Ｒを起点として、フロントパネル１２の中央付近に向かって拡がっている。したがって、フロントパネル１２の中央付近の前方で視聴する視聴者Ｐは、周波数特性のよい領域Ａ１およびＡ２が交差するあたりに位置することになる。したがって、視聴者Ｐは周波数特性のよい音声を聴くことができる。
【００３３】
（周波数特性のよい領域Ａ１およびＡ２：正面図）
図４は、表示装置１０における周波数特性のよい領域Ａ１およびＡ２を模式的に例示する正面図である。スピーカ１１Ｌおよび１１Ｒはフロントパネル１２の中央付近に向けて傾けられているため、正面から見ても、領域Ａ１およびＡ２はスピーカ１１Ｌおよび１１Ｒを起点として、フロントパネル１２の中央付近に向かって拡がっている。したがって、フロントパネル１２の中央付近前方で視聴する視聴者Ｐは、周波数特性のよい領域Ａ１およびＡ２が交差するあたりの前方に位置することになる。したがって、通常、フロントパネル１２の中央付近の前方にいる視聴者Ｐは、周波数特性の音声を聴くことができる。
【００３４】
（変形例）
上述の実施形態１では、２つのスピーカ１１Ｌおよび１１Ｒのそれぞれから振動板の短軸方向に延伸させた仮想直線の交点ｃを前記表示部に垂直に投影して得られる投影点が、前記フロントパネル１２における表示領域のちょうど中央付近に配置される例を示した。しかし、本発明では、前記少なくとも２つのスピーカ１１Ｌおよび１１Ｒのそれぞれから振動板の短軸方向に延伸させた仮想直線の交点ｃを前記フロントパネル１２に垂直に投影して得られる投影点が、前記フロントパネル１２における表示領域内に収まるように配置されていればよい。
【００３５】
たとえば、図５に示すように、２つのスピーカ１１Ｌおよび１１Ｒのそれぞれの短軸方向延長線が交差する点ｃをフロントパネル１２に垂直に投影して得られる投影点が、フロントパネル１２の左右方向の中央付近で上下方向の中央付近よりも上方に位置してもよい。
【００３６】
あるいは、図６に示すように、２つのスピーカ１１Ｌおよび１１Ｒのそれぞれの短軸方向延長線が交差する点ｃをフロントパネル１２に垂直に投影して得られる投影点が、フロントパネル１２の左右方向の中央付近で上下方向の中央付近よりも下方に位置してもよい。
【００３７】
本発明の実施形態１では、２つのスピーカ１１Ｌおよび１１Ｒの振動板の短軸方向どうしの交差する点ｃをフロントパネル１２に投影した点が、フロントパネル１２の表示領域内に収まるように配置されていればよい。
【００３８】
これらの場合にも、左右のスピーカの短軸方向が上下方向になっている場合よりも、周波数特性が向上する。また、視聴者が視聴する姿勢、身長などによって視聴者の視聴位置は異なるので、短軸延長線どうしがフロントパネル１２の中央付近で交差する場合よりも、視聴者が周波数特性のよい領域で視聴することができる場合もある。
【００３９】
＜実施形態２＞
次に、図１０，１１、および１２を参照して、本発明の実施形態２の表示装置２０について説明する。表示装置２０は、実施形態１の表示装置１０のスピーカ１１Ｌおよび１１Ｒとスピーカの配置位置が異なるが、それ以外は同じ構成である。
【００４０】
実施形態１では、二つのスピーカ１１Ｌおよび１１Ｒがフロントパネル１２の底部１３に位置する例を示した。しかし、本発明におけるスピーカの配置位置はこれに限定されず、たとえば、実施形態２では、フロントパネル２２の側面上部、側面下部、あるいは上部に配置されてもよい。
【００４１】
例えば、図１０に示す表示装置２０では、フロントパネル２２の左右側部に側面部２４Ｌおよび２４Ｒが設けられている。表示装置２０の２つのスピーカ２１Ｌおよび２１Ｒは、それぞれ、この側面部２４Ｌおよび２４Ｒの上部に位置している。この場合でも、二つのスピーカ２１Ｌおよび２１Ｒを傾けて、スピーカ２１Ｌおよび２１Ｒそれぞれの短軸方向延長線が交差する点ｃをフロントパネル１２に垂直に投影して得られる投影点が、フロントパネル２２の表示領域内に収まる位置であればよい。
【００４２】
また、図１１に示すように、本発明の表示装置２０ではスピーカ２１Ｌおよび２１Ｒは、フロントパネル２２の側面部２４Ｌおよび２４Ｒの上部にそれぞれ位置していてもよい。
【００４３】
さらに、図１２に示すように、本発明の表示装置２０では、フロントパネル２２の上方に上部２５を有し、スピーカ２１Ｌおよび２１Ｒはこのフロントパネル２２の上部２５の左右端部の左右対称な位置に配置されてもよい。
【００４４】
上記いずれの場合でも、２つのスピーカ２１Ｌおよび２１Ｒを傾けて、スピーカ２１Ｌおよび２１Ｒのそれぞれから振動板の短軸方向に延伸させた仮想直線の交点ｃを前記表示部に垂直に投影して得られる投影点が、前記フロントパネル２２における表示領域内に収まるように配置されていればよい。
【００４５】
この場合には、実施形態１と同様に、視聴者の位置で周波数特性が改善される効果が得られる。
【００４６】
＜実施形態３＞
次に図１３から図２１を参照して、実施形態３における表示装置（テレビ受像機）３０用のスピーカ装置３１Ｌおよび３１Ｒについて説明する。なお、図面中では、正置状態における表示装置３０の左右方向をｘ軸方向、前後方向をｙ軸方向、鉛直方向をｚ軸方向とする。
【００４７】
（表示装置３０の構成）
図１３は、実施形態３におけるスピーカ装置３１Ｌおよび３１Ｒが搭載される表示装置３０の斜視図である。表示装置３０は、図１３に示す通り、略横長長方形で薄型の表示部およびこの表示部を支えるスタンド３７を備える。
【００４８】
図１４は、表示装置３０の背面側の構成を正面から見た図である。表示装置３０の背面全体は、背面側筐体３６によって覆われている。この背面側筐体３６の底部左右端部（ｘ軸方向端部）付近には、１対のスピーカ装置３１Ｌ（表示画面に向かって左側、背面から見て右側のスピーカ装置。以下同じ）および３１Ｒ（表示画面に向かって右側、背面から見て左側のスピーカ装置。以下同じ）が設けられている。また、スピーカ装置３１Ｌおよび３１Ｒは、振動板３１ｄを下（ｚ軸方向下）に向けて設けられている。スピーカ装置３１Ｌおよび３１Ｒは、互いに左右対称な形状、構成を備えており、背面側筐体３６の中央線に対して左右対称の位置に設けられている。
【００４９】
図１５は、実施形態３に係る表示装置３０のスピーカ装置３１Ｒの部分の拡大断面図である。表示装置３０は、前方がフロントパネル３２で覆われており、フロントパネル３２は背後に位置する複数のバックライト３８により照らされて、画像をフロントパネル３２に表示する。前述したように、表示装置３０の背面は背面側筐体３６で覆われており、スピーカ装置３１Ｒは、背面側筐体３６底部付近に設けられている。図１５に示すように、スピーカ装置３１Ｒの振動板３１ｄは、前方が後方より上がった傾斜面を形成しており、テレビ受像機３０の接地面に対して角度を有する。特に限定されないが、スピーカ装置３１Ｒの振動板３１ｄは、例えば、表示装置３０の接地面に対して２０度くらいの角度をなす。表示装置３０の背面が背面側筐体３６で覆われ、振動板３１ｄが前上がりの傾斜面を形成することにより、スピーカ装置３１Ｒから発せられる音声が、表示装置３０の前方に向かって拡がる一方で、表示装置３０の背後に拡散するのを低減している。
【００５０】
（スピーカ装置３１Ｌの構成）
図１６（ａ）は、本発明の実施形態３に係る表示装置３０のスピーカ装置３１Ｌの斜視図である。なお、スピーカ装置３１Ｒは、スピーカ装置３１Ｌと左右対称な形状、構造を有しており、同様の動作をする。スピーカ装置３１Ｌは略直方体のスピーカ筐体３１ｃで覆われており、スピーカ筐体３１ｃの底面（ｚ軸方向の下方、図１６（ａ）では、手前側）にスピーカ装置３１Ｌの振動板３１ｄが設けられている。スピーカ装置３１Ｌが表示装置３０に搭載される場合には、振動板３１ｄを表示装置３０の底部側に、図１６（ａ）で上面となっているスピーカ装置３１Ｌの側面３１eを表示装置３０の正面側にして、背面側筐体３６に搭載される。
【００５１】
スピーカ装置３１Ｌは、第１のスピーカと第２のスピーカとを備えており、前記第１のスピーカ、及び、前記第２のスピーカは、短軸方向と長軸方向とを有する非真円形の振動板を有している。前記第１のスピーカは、中低音域用のスピーカであり、前記第２のスピーカは、高音域用のスピーカである。具体的には、スピーカ装置３１Ｌは、図１６（ａ）に示すように、高音域用スピーカ３１ａおよび中低音域用スピーカ３１ｂを備えている。スピーカ装置３１Ｌが表示装置３０に備えられたときには、高音域用スピーカ３１ａが表示装置３０の表示部に向かって左端部側（背面から見て右側）、中低音用スピーカ３１ｂが表示部の中央側に位置する。そして、図１６（ａ）に示すように、高音域用スピーカ３１ａの短軸方向ｌ３と長軸方向ｌ４を有する楕円形となっている。中低音用スピーカ３１ｂの短軸方向ｌ５と長軸方向ｌ６を有する楕円形となっている。
【００５２】
また、前記第１のスピーカの振動板の長軸方向ｌ４と、前記第２のスピーカの長軸方向ｌ６とが平行ではないように配置されている。具体的には、スピーカ装置３１Ｌが表示装置３０に備えられたとき、中低音用スピーカ３１ｂの長軸方向ｌ６は、ほぼ水平方向となるのに対し、高音域用スピーカ３１ａの長軸方向ｌ４は水平方向に対し角度αをなす。高音域用スピーカ３１ａの長軸方向ｌ４が中低音用スピーカ３１ｂの長軸方向ｌ６に対してなす角度αは、４５度から６５度である。
【００５３】
また、スピーカ装置３１Ｒも、高音域用スピーカ３１ａおよび中低音用スピーカ３１ｂを備える。スピーカ装置３１Ｒが表示装置３０に備えられるときには、高音域用スピーカ３１ａが表示装置３０の右端部側（背面から見て左側）、中低音用スピーカ３１ｂが表示装置３０の中央側に位置する。
【００５４】
（スピーカ装置３１Ｌおよび３１Ｒからの音声の拡がり）
ここでは、上述した表示装置３０から発せられる音声の周波数特性の良い領域と比較例となる表示装置５０から発せられる音声の周波数特性の良い領域拡がりと、を比較する。
【００５５】
（比較例の表示装置５０の構成）
まず、比較例となる表示装置５０およびこれに搭載されるスピーカ装置５１の構成について説明する。
【００５６】
図１８（ｂ）に示すように、表示装置５０には、表示装置５０の底部にスピーカ装置５１が配置されている。スピーカ装置５１は、振動板を形成する底面が接地面に平行な面となっている。また、図１６（ｂ）には、表示装置５０のスピーカ装置５１Ｌ（表示画面に向かって左側、背面から見て右側のスピーカ装置。以下同じ）の斜視図を示す。表示装置５０では、表示装置３０と同様に、スピーカ装置５１Ｌを表示装置５０に備えた時の底面が振動板となっている。この振動板５１ｄの左端部（背面から見て右端部）に、楕円形形状の高音域用スピーカ５１ａおよび振動板に中央寄りに楕円形形状の中低音域用スピーカ５１ｂを有する。しかし、実施形態３のスピーカ装置３１とは異なり、表示装置５０のスピーカ装置５１Ｌにおいては、中低音域用スピーカ５１ｂの長軸方向ｌ６と高音域用スピーカ５１ａの長軸方向ｌ４は平行になっている。そして、スピーカ装置５１Ｌが表示装置５０に搭載された場合、長軸方向ｌ４および長軸方向ｌ６とも接地面に対して平行となる。なお、表示装置５０のスピーカ装置５１Ｒは、スピーカ装置５１Ｌと左右対称な構造となっている。つまり、中低音域用スピーカ５１ｂが表示装置５０の中央寄りに位置し、高音域用スピーカ５１ａが表示装置５０の右端部（背面から見て左端部）に位置する。そして、スピーカ装置５１Ｒでも、中低音域用スピーカ５１ｂの長軸方向ｌ６と高音域用スピーカ５１ａの長軸方向ｌ４は平行になっている。
【００５７】
（スピーカ装置３１Ｌおよび３１Ｒからの周波数特性の良い領域の拡がり、側面から見た場合）
次にスピーカ装置３１Ｌから発せられる周波数特性の良い領域の拡がりについて説明する。図１８（ａ）は本発明の実施形態３に係る表示装置３０から発せられる音声の拡がりを模式的に例示する側面図であり、（ｂ）は比較例に係る表示装置５０から拡がる周波数特性の良い領域を模式的に例示する側面図である。
【００５８】
表示装置３０および表示装置５０のどちらにおいても、音声は表示装置３０，５０の底面から斜め前方に拡がる。しかし、図１８（ｂ）に示すように、比較例の表示装置５０では、スピーカ装置５１の振動板を形成する底面が接地面に平行であり、斜めに傾いていないため、周波数特性のよい領域が前方および上方に向かって拡がりにくい。これに対して、実施形態３の表示装置３０においては、スピーカ装置３１の底面に位置する振動板３１ｄが前上がりの傾斜面となっている。このため、表示装置３０の前方および上方に向かって表示装置５０より広範囲に周波数特性のよい領域が拡がる。
【００５９】
（スピーカ装置３１Ｌおよび３１Ｒからの周波数特性の良い領域の拡がり、前方から見た場合）
図１７（ａ）は本発明の実施形態３に係る表示装置３０における周波数特性の良い領域の拡がりを模式的に例示する正面図であり、（ｂ）は本発明の比較例に係る表示装置５０における周波数特性の良い領域の拡がりを模式的に例示する正面図である。比較例の表示装置５０においては、中低音域用スピーカ５１ｂも高音域用スピーカ５１ａも長軸方向が水平方向に平行に設置されているため、スピーカ装置５１Ｌおよび５１Ｒから発せられた音声が表示装置５０からまっすぐ前方に向かって拡がる。このため、表示装置５０のフロントパネルのほぼ中央手前の通常視聴者が視聴する位置においては、周波数特性の良い領域が拡がりにくい。したがって、視聴者の位置で周波数特性が向上しない。
【００６０】
これに対し、本実施形態の表示装置３０では、左右のスピーカ装置３１Ｒおよび３１Ｌの高音域用スピーカ３１ａのそれぞれから振動板の短軸方向に延伸させた仮想直線の交点を前記表示部に垂直に投影して得られる投影点が、前記表示部における表示領域のほぼ中央に位置するように傾けられる。よって、周波数特性のよい領域が、フロントパネル前方側および中央側に向かって拡がる。このため、図１７（ａ）の表示装置３０のフロントパネル３２のほぼ中央手前の通常視聴者が視聴する位置においては、周波数特性が向上する。
【００６１】
（スピーカ装置３１Ｌおよび３１Ｒからの周波数特性の良い領域Ｃ１およびＣ２の拡がり）
図１９は、本発明の実施形態３に係る表示装置３０における周波数特性のよい領域Ｃ１およびＣ２を模式的に例示する斜視図である。図１９に示すように、周波数特性のよい領域Ｃ１およびＣ２は、左右のスピーカ装置３１Ｌおよび３１Ｒから上下方向に円盤上に拡がる。しかし、スピーカ装置３１Ｌおよび３１Ｒの底部に位置する振動板は斜め下向きであり、さらに高音域用スピーカ３１ａがフロントパネル中央に向かって傾いているため、円盤がフロントパネル３２の前面部分が左右接近するように分布している。
【００６２】
図２０は、本発明の実施形態３に係る表示装置３０における周波数特性のよい領域Ｃ１およびＣ２を模式的に例示する上面図である。表示装置３０のスピーカ装置３１Ｌおよび３１Ｒは、スピーカが斜め下向きであり、短軸方向がフロントパネル中央を向いているので、周波数特性のよい領域Ｃ１およびＣ２がフロントパネル中央側に向かって傾き、視聴者Ｐの位置で周波数特性が改善する。
【００６３】
図２１は、本発明の実施形態３に係る表示装置３０における周波数特性のよい領域Ｃ１およびＣ２を模式的に例示する正面図である。表示装置３０のスピーカ装置３１Ｌおよび３１Ｒは、底面が斜め下向きである。また、左右のスピーカ装置３１Ｌおよび３１Ｒの高音域用スピーカ３１ａの短軸方向が、それぞれフロントパネル中央を向いているので、周波数特性のよい領域Ｃ１およびＣ２がフロントパネル３２中央側に向かって傾き、視聴者Ｐの位置で周波数特性が改善する。
【００６４】
特に、高音域用スピーカ３１ａは、中低音域用スピーカ３１ｂに比べて音声の指向性が強い。このため、左右のスピーカ装置３１ＬおよびＲの高音域用スピーカ３１ａの短軸方向に延伸させた仮想直線の交点を前記表示部に垂直に投影して得られる投影点が、前記表示部にフロントパネル中央に位置するように傾けた表示装置３０では、より周波数特性の向上効果が高い。
【００６５】
＜実施形態４＞
上述した実施形態１から３では、スピーカ装置付き表示装置に本発明を応用する場合の例を記述した。しかし、本発明は、表示装置と近接して用いられるサウンドバーなどのスピーカ装置についても応用することができる。そして、上述した実施形態１から３に記載した事項は、実施形態４にも適用される。
【００６６】
図２２は、実施形態４における表示装置４２およびこれに近接して設置されるサウンドバー４３の正面図である。サウンドバー４３においても、左右両端部に左右スピーカ装置４１Ｌおよび４１Ｒが設けられている。スピーカ装置４１Ｌおよび４１Ｒは短軸方向と長軸方向とを有する非真円形の振動板を有している。スピーカ装置４１Ｌおよび４１Ｒのそれぞれから振動板の短軸方向に延伸させた仮想直線の交点を前記表示部に垂直に投影して得られる投影点が、前記表示部における表示領域内に収まるように配置されている。さらに、本発明のスピーカ装置４１Ｌおよび４１Ｒは、それぞれ第１のスピーカと第２のスピーカの組を複数備える。具体的には、左スピーカ装置４１Ｌおよび右スピーカ装置４１Ｒの短軸方向を延伸させた仮想直線の交点ｃを前記表示部４２に垂直に投影して得られる投影点が、表示部４２のほぼ中央付近に位置する。なお、左スピーカ装置４１Ｌおよび右スピーカ装置４１Ｒの短軸方向を延伸させた仮想直線の交点ｃを前記表示部４２に垂直に投影して得られる投影点が、表示部４２のほぼ中央付近でなくてもよい。左スピーカ装置４１Ｌおよび右スピーカ装置４１Ｒの短軸方向を延伸させた仮想直線の交点ｃを前記表示部４２に垂直に投影して得られる投影点が、表示部４２の表示領域内に収まっていればよい。
【００６７】
また、スピーカ装置４１Ｌおよび４１Ｒはそれぞれ中低音域用スピーカである第１のスピーカおよび高音域用スピーカである第２のスピーカを備えている。第１のスピーカはサウンドバー４３の中央側に設けられ、第２のスピーカはサウンドバー４３の左右両端側に設けられる。第１のスピーカ、第２のスピーカとも開口部が短軸方向と長軸方向を有する楕円形形状となっている。そして、第１のスピーカの長軸方向は水平方向であり、第２のスピーカの長軸方向は第１のスピーカの長軸方向に対して、４５度から６５度の角度をなして設けられる。このため、実施形態１における表示装置１０と同様に、表示部４２中央付近で視聴する視聴者Ｐに対して周波数特性のよい音声を提供することができる。
【００６８】
本発明は上述した実施形態および変形例に限定されるものではなく、請求項に示した範囲で種々の変更が可能であり、異なる実施形態のそれぞれ開示された技術的手段を適宜組み合わせて得られる実施形態についても本発明の技術的範囲に含まれる。
【符号の説明】
【００６９】
１２、２２、３２、４２、５２  表示部（フロントパネル）
１３、５３  底部
１１Ｌ、２１Ｌ、５１Ｌ  スピーカ
１０、２０、３０、３０，５０、４２、５０  表示装置
２４Ｌ、２４Ｒ  側面部
２５  上部
３０  テレビ受像機
３１、３１Ｌ、３１Ｒ、４１Ｌ、４１Ｒ、５０、５１、５１Ｌ、５１Ｒ  スピーカ装置
３１ａ、５１ａ  高音域用スピーカ
３１ｂ、５１ｂ  中低音域用スピーカ
３１ｃ  スピーカ筐体
３１ｄ  振動板
３１e  側面
３６  背面側筐体
３７  スタンド
３８  バックライト
４１Ｌ  左スピーカ装置
４１Ｒ  右スピーカ装置
４３  サウンドバー
Ａ１、Ａ２、Ｂ１、Ｂ２、Ｃ１、Ｃ２  周波数徳の良い領域
ｃ  スピーカ装置の短軸方向に延伸させた仮想直線の交点
ｌ２、ｌ３、ｌ５  短軸方向
ｌ１、ｌ４、ｌ６  長軸方向
α  角度
【図１】
2020061636.tif 000003
【図２】
2020061636.tif 000004
【図３】
2020061636.tif 000005
【図４】
2020061636.tif 000006
【図５】
2020061636.tif 000007
【図６】
2020061636.tif 000008
【図７】
2020061636.tif 000009
【図８】
2020061636.tif 000010
【図９】
2020061636.tif 000011
【図１０】
2020061636.tif 000012
【図１１】
2020061636.tif 000013
【図１２】
2020061636.tif 000014
【図１３】
2020061636.tif 000015
【図１４】
2020061636.tif 000016
【図１５】
2020061636.tif 000017
【図１６】
2020061636.tif 000018
【図１７】
2020061636.tif 000019
【図１８】
2020061636.tif 000020
【図１９】
2020061636.tif 000021
【図２０】
2020061636.tif 000022
【図２１】
2020061636.tif 000023
【図２２】
2020061636.tif 000024